(57)【要約】      （修正有）【課題】被固定部材の上下動に敢えて追随する構成とした比類なきアンカーピンの提供。【解決手段】本発明に係るアンカーピン１は、被固定部材Ｐの上部Ｐａに係止する頭部２と、該頭部２から垂下し下端に尖鋭部４を有する脚部５と、上記頭部２直下の上記脚部５の外周面に設けた係合体とを備え、該係合体が上記被固定部材Ｐの下部Ｐｂに係合することにより、上記被固定部材Ｐの上下動に追随する構成とする。そのため、凍上によって地盤が盛り上がったときには、地盤の盛り上がりと共に上動した上記被固定部材の下部に上記係合体が係合して追随すると共に、凍上が解除されて地盤が元に戻るときには、上記被固定部材の下部と係合した上記係合体が該被固定部材により押圧されて該被固定部材の下動に追随することにより、アンカーピンだけが突出した状態で取り残されることがない。【選択図】図９
2017082426.tif 000002
【特許請求の範囲】
【請求項１】
被固定部材の上部に係止する頭部と、該頭部から垂下し下端に尖鋭部を有する脚部と、上記頭部直下の上記脚部の外周面に設けた係合体とを備え、該係合体が上記被固定部材の下部に係合することにより、上記被固定部材の上下動に追随することを特徴とするアンカーピン。
【請求項２】
上記係合体は上記脚部の地盤への打ち込み時には該脚部の外周面に沿い、打ち込み後に上記被固定部材の直下において拡開することを特徴とする請求項１記載のアンカーピン。
【請求項３】
上記係合体を一対の弧状の金属片で構成し、該各金属片を上記脚部外周面に回動可能に軸支したことを特徴とする請求項２記載のアンカーピン。
【請求項４】
上記係合体を一対の細長状の金属片で構成し、該各金属片における長手方向の一端部を上記脚部外周面に固定し、両金属片を逆ハの字状に固定したことを特徴とする請求項２記載のアンカーピン。
【請求項５】
上記係合体を下端部が先細り形状の一対の金属片で構成し、該各金属片を上記脚部外周面に螺旋状に固定したことを特徴とする請求項１記載のアンカーピン。
【発明の詳細な説明】
【技術分野】
【０００１】
本発明は、例えばセメントモルタル製又はコンクリート製又はゴム製の覆工マット等の被固定部材を法面等の地盤に多数敷き詰めて固定する場合に使用するアンカーピンに関する。
【背景技術】
【０００２】
従来のアンカーピンとして、下記特許文献１，２に開示のアンカーピンが既知である。
【０００３】
これら従来のアンカーピンは、被固定部材の上部に係止する頭部と該頭部から垂下し下端に先鋭部を有する脚部とを備え、該脚部の尖鋭部の基部外周面に抜け止め用の爪部を設ける構成となっており、該爪部が地盤に喰い付くことにより被固定部材の浮き上がりを防止しつつ被固定部材を固定することができる。
【先行技術文献】
【特許文献】
【０００４】
【特許文献１】意匠登録第１２４７９７９号公報
【特許文献２】実用新案登録第３１５３３７８号公報
【発明の概要】
【発明が解決しようとする課題】
【０００５】
上記従来のアンカーピンにあっては、地盤に食い込む爪部により安定した抜け止めを図りながら被固定部材を固定することができるが、冬季等の気温が低いときに凍上、つまり土中の水分が凍結して地盤が盛り上がる現象が生じた場合には、次のような問題点を有している。
【０００６】
すなわち、凍上が生じた場合には地盤自体が盛り上がるため、たとえ抜け止め用の爪部が地盤に食い込んでいたとしても被固定部材が地盤ごと浮き上がり、該被固定部材の浮き上がりに伴いアンカーピンも浮き上がることとなるが、その後に凍結していた水分が解けて地盤の盛り上がりがなくなると、それに伴い被固定部材のみが下がり、アンカーピンだけが突出した状態で取り残されてしまう問題点を有している。
【０００７】
また、凍上による被固定部材の浮き上がりとその後の被固定部材の沈下が繰り返されると、徐々にアンカーピンの突出量が増大し、最悪の場合にはアンカーピンが抜け外れてしまう問題点を有している。
【０００８】
したがって、従来のアンカーピンにあっては、上記のように突出した状態で取り残されたアンカーピンを再度打ち込む作業が必須となっていた。
【課題を解決するための手段】
【０００９】
本発明は、上述した従来のアンカーピンのように地盤に食い込む抜け止め用の爪部を設けることを廃して、被固定部材の浮き上がりと沈下、つまり被固定部材の上下動に敢えて追随する構成とした比類なきアンカーピンを提供する。
【００１０】
要述すると、本発明に係るアンカーピンは、被固定部材の上部に係止する頭部と、該頭部から垂下し下端に尖鋭部を有する脚部と、上記頭部直下の上記脚部の外周面に設けた係合体とを備え、該係合体が上記被固定部材の下部に係合することにより、上記被固定部材の上下動に追随する構成とする。そのため、凍上によって地盤が盛り上がったときには、地盤の盛り上がりと共に上動した上記被固定部材の下部に上記係合体が係合して追随すると共に、凍上が解除されて地盤が元に戻るときには、上記被固定部材の下部と係合した上記係合体が該被固定部材により押圧されて該被固定部材の下動に追随することにより、アンカーピンだけが突出した状態で取り残されることがない。
【００１１】
好ましくは、上記係合体は上記脚部の地盤への打ち込み時には該脚部外周面に沿い、打ち込み後に上記被固定部材の直下において拡開する構成とし、スムーズな打ち込みを図ると共に上記係合体を上記被固定部材の直下で確実に待機させることができる。当該係合体の構成は、例えば、上記係合体を一対の弧状の金属片で構成し、該各金属片を上記脚部外周面に回動可能に軸支する構成により達成できる。又は上記係合体を一対の細長状の金属片で構成し、該各金属片における長手方向の一端部を上記脚部外周面に固定し、両金属片を逆ハの字状に固定する構成により達成できる。
【００１２】
また、上記係合体を下端部が先細り形状の一対の金属片で構成し、該各金属片を上記脚部外周面に螺旋状に固定する構成により、上記係合体の耐久性を向上することもできる。
【発明の効果】
【００１３】
本発明に係るアンカーピンにあっては、地盤に打ち込まれる脚部に敢えて抜け止め手段を備えることを廃止して、アンカーピン全体を上下動可能にすると共に、係合体を被固定部材の下部に係合して被固定部材の上下動に追随することにより、凍上が生じて地盤が盛り上がった後に元に戻る場合でも、地面から突出することなく適切に被固定部材の固定状態を維持することができる。
【図面の簡単な説明】
【００１４】
【図１】本発明に係るアンカーピンの斜視図。
【図２】（Ａ）乃至（Ｃ）は図１のアンカーピンの地盤への打ち込みの過程を順を追って説明する説明図。
【図３】本発明に係るアンカーピンの他例を示す斜視図。
【図４】（Ａ），（Ｂ）は図３のアンカーピンの地盤への打ち込みの過程を順を追って説明する説明図。
【図５】本発明に係るアンカーピンの他例を示す斜視図。
【図６】（Ａ），（Ｂ）は図５のアンカーピンの地盤への打ち込みの過程を順を追って説明する説明図。
【図７】被固定部材を地盤に多数敷き詰め、アンカーピンで固定した状態を示す説明図。
【図８】凍上が生じていない場合の被固定部材及びアンカーピンの状態を示す断面図。
【図９】凍上が生じた場合の被固定部材及びアンカーピンの状態を示す断面図。
【発明を実施するための形態】
【００１５】
以下、本発明に係るアンカーピンの実施形態を図１乃至図９に基づき説明する。
【００１６】
図１，図２は本発明に係るアンカーピン１の第一例を、図３，図４は同第二例を、図５，図６は同第三例を示している。
【００１７】
本発明に係るアンカーピン１は、図１，図３及び図５に示すように、基本構成として、被固定部材Ｐの上部Ｐａに係止する頭部２と、頭部２から垂下し下端に尖鋭部４を有する脚部５と、頭部２直下の脚部５の外周面に設けた係合体３とを備え、図２，図４及び図６に示すように、被固定部材Ｐに穿設した貫通孔１１を介して脚部５を地盤Ｇに打ち込み、係合体３を被固定部材Ｐの直下に待機させて使用に供する。
【００１８】
具体的構成について説明すると、図１，図２に例示するアンカーピン１は、係合体３を一対の弧状の金属片３Ａ，３Ｂで構成し、該各金属片３Ａ，３Ｂを頭部２直下の脚部５の外周面に回動可能に軸支する。すなわち、各金属片３Ａ，３Ｂの中央部をそれぞれ軸６により回動可能に固定する。
【００１９】
図２（Ａ）乃至図２（Ｃ）に示すように、本例のアンカーピン１にあっては、脚部５の地盤Ｇへの打ち込み時には、係合体３を構成する各金属片３Ａ，３Ｂは、脚部５の外周面に沿うように長手方向が垂直方向となるように回動し、被固定部材Ｐに穿設された貫通孔１１を円滑に通過した後、該被固定部材Ｐの直下の地中において拡開するように回動して待機する。この際には、各金属片３Ａ，３Ｂの上端の係合部３Ａａ，３Ｂａは被固定部材Ｐの下部Ｐｂと僅かな間隔を置いて対向するが、凍上により地盤Ｇ中の水分が凍って該地盤Ｇが盛り上がったときには即座に被固定部材Ｐの下部Ｐｂと係合する。
【００２０】
加えて、アンカーピン１の頭部２は被固定部材Ｐの上部Ｐａに設けられた頭部係止用凹部１０に嵌合し、これにより頭部２が被固定部材Ｐの上部Ｐａに係止すると共に不用意に頭部２が被固定部材Ｐから突出しないようにする。
【００２１】
また、図３，図４に例示するアンカーピン１は、係合体３を一対の細長状の金属片３Ａ，３Ｂで構成し、該各金属片３Ａ，３Ｂにおける長手方向の一端部（下端部）を頭部２直下の脚部５の外周面に固定し、他端部（上端部）を拡開することにより、両金属片３Ａ，３Ｂを逆ハの字状に固定する。なお各金属片３Ａ，３Ｂの上記一端部の固定は溶接又はピン止めにより行う。
【００２２】
図４（Ａ），図４（Ｂ）に示すように、本例のアンカーピン１にあっては、脚部５の地盤Ｇへの打ち込み時には、係合体３を構成する各金属片３Ａ，３Ｂは、脚部５の外周面に沿うように弾性変形し、被固定部材Ｐに穿設された貫通孔１１を円滑に通過した後、該被固定部材Ｐの直下の地中において逆ハの字状に復元して拡開して待機する。この際に、好ましくは、各金属片３Ａ，３Ｂの上端の係合部３Ａａ，３Ｂａは被固定部材Ｐの下部Ｐｂと係合するように配する。
【００２３】
加えて、図１，図２の例示と同様に、アンカーピン１の頭部２は被固定部材Ｐの上部Ｐａに設けられた頭部係止用凹部１０に嵌合し、これにより頭部２が被固定部材Ｐの上部Ｐａに係止すると共に不用意に頭部２が被固定部材Ｐから突出しないようにする。
【００２４】
また、図５，図６に例示するアンカーピン１は、係合体３を下端部が先細り形状の一対の金属片３Ａ，３Ｂで構成し、該各金属片３Ａ，３Ｂを頭部２直下の脚部５の外周面に螺旋状に固定する。すなわち、直角三角形状の一対の金属片３Ａ，３Ｂの二つの隣辺の内、長い方の隣辺を約９０度回転しながら螺旋状に固定すると共に短い方の隣辺を後記係合部３Ａａ，３Ｂａとして突出させる構成とする。なお各金属片３Ａ，３Ｂの上記螺旋状の固定は溶接により行う。本例における係合体３は打ち込み時に変形する必要がなく、耐久性を向上できる。
【００２５】
図６（Ａ），図６（Ｂ）に示すように、脚部５の地盤Ｇへの打ち込み時には、係合体３を構成する各金属片３Ａ，３Ｂを脚部５を中心として回転させながら打ち込むこととなる。なお、被固定部材Ｐに穿設された貫通孔１１は各金属片３Ａ，３Ｂの最も突出する係合部３Ａａ，３Ｂａの通過を許容しつつ、打ち込み後は該係合部３Ａａ，３Ｂａの抜け止めを図るために、長円状とする。該長円状の貫通孔１１を回転しながら通過した各金属片３Ａ，３Ｂは、被固定部材Ｐの直下の地中において該各金属片３Ａ，３Ｂの上端の係合部３Ａａ，３Ｂａを被固定部材Ｐの下部Ｐｂと係合した状態となる。
【００２６】
加えて、図１，図２の例示や図３，図４の例示と同様に、アンカーピン１の頭部２は被固定部材Ｐの上部Ｐａに設けられた頭部係止用凹部１０に嵌合し、これにより頭部２が被固定部材Ｐの上部Ｐａに係止すると共に不用意に頭部２が被固定部材Ｐから突出しないようにする。
【００２７】
上記のように、本発明に係るアンカーピン１は、何れの例示の場合も、脚部５の打ち込み後には、係合部３が被固定部材Ｐの直下の地中において待機し、該被固定部材Ｐの下部Ｐｂとの係合に備える構成となっている。なお、各例における金属片３Ａ，３Ｂは金属製の板を加工して形成する。
【００２８】
次に本発明に係るアンカーピン１の実際の使用について説明する。なお、説明の便宜上、図８，図９においては、図３，図４にて示したアンカーピン１に基づき図示しているが、図１，図２に示したアンカーピン１及び図５，図６に示したアンカーピン１も使用については同様である。
【００２９】
本発明に係るアンカーピン１は、図７に示すように、セメントモルタル製又はコンクリート製又はゴム製の覆工マット等のある程度の重量を有する被固定部材Ｐを法面等の地盤Ｇに多数敷き詰めて固定する場合に使用するものであり、適度に間隔を置いて打ち込む。
【００３０】
図８に示すように、平常時の地盤Ｇにおいては、アンカーピン１は、上述した如く、頭部２を被固定部材Ｐの上部Ｐａに設けた頭部係止用凹部１０に嵌合して該頭部２を被固定部材Ｐの上部Ｐａに係止すると共に、係合体３を被固定部材Ｐの直下の地中にて待機させる状態で地盤Ｇに脚部５を打ち込まれている。
【００３１】
そして、凍上が生じて地盤Ｇが盛り上がったときには、図９に示すように、地盤Ｇの盛り上がりと共に上動した被固定部材Ｐの下部Ｐｂに係合体３（一対の金属片３Ａ，３Ｂ）の係合部３Ａａ，３Ｂａが係合して、該被固定部材Ｐの上動に追随する。よって係合体３を介してアンカーピン１は被固定部材Ｐの上動に追随する。
【００３２】
また、図９の凍上が生じた状態が解除されると、盛り上がっていた地盤Ｇが元に戻ろうとするが、その際には被固定部材Ｐが沈下し、該被固定部材Ｐの下部Ｐｂに係合している係合体３が同被固定部材Ｐの自重により下方向に押圧される。そのため、係合体３を介してアンカーピン１が被固定部材Ｐの下動に追随し、図８に示す状態に戻る。
【００３３】
したがって、本発明にあっては、アンカーピン１だけが取り残されて突出してしまうおそれがない。また。凍上とその解除が繰り返されたとしても、アンカーピン１は被固定部材Ｐの上下動に追随することを繰り返すのみであり、地盤Ｇから抜け外れてしまうおそれもない。
【符号の説明】
【００３４】
１…アンカーピン、２…頭部、３…係合体、３Ａ…一方の金属片、３Ｂ…他方の金属片、３Ａａ，３Ｂａ…係合部、４…尖鋭部、５…脚部、６…軸、１０…頭部係止用凹部、１１…貫通孔、Ｐ…被固定部材、Ｐａ…被固定部材の上部、Ｐｂ…被固定部材の下部、Ｇ…地盤。
【図１】
2017082426.tif 000003
【図２】
2017082426.tif 000004
【図３】
2017082426.tif 000005
【図４】
2017082426.tif 000006
【図５】
2017082426.tif 000007
【図６】
2017082426.tif 000008
【図７】
2017082426.tif 000009
【図８】
2017082426.tif 000010
【図９】
2017082426.tif 000011
【手続補正書】
【提出日】平成28年11月14日(2016.11.14)
【手続補正１】
【補正対象書類名】特許請求の範囲
【補正対象項目名】請求項１
【補正方法】変更
【補正の内容】
【請求項１】
地盤に被固定部材を固定するために使用するアンカーピンであって、被固定部材の上部に係止する頭部と、該頭部から垂下し下端に尖鋭部を有すると共に地盤からの抜け止め手段を有しない脚部と、上記頭部直下の上記脚部の外周面に設けた係合体とを備え、該係合体が上記被固定部材の下部に係合することにより、上記被固定部材の上下動に追随することを特徴とするアンカーピン。
【手続補正２】
【補正対象書類名】明細書
【補正対象項目名】００１０
【補正方法】変更
【補正の内容】
【００１０】
要述すると、本発明に係るアンカーピンは、地盤に被固定部材を固定するために使用するアンカーピンであって、被固定部材の上部に係止する頭部と、該頭部から垂下し下端に尖鋭部を有すると共に地盤からの抜け止め手段を有しない脚部と、上記頭部直下の上記脚部の外周面に設けた係合体とを備え、該係合体が上記被固定部材の下部に係合することにより、上記被固定部材の上下動に追随する構成とする。そのため、凍上によって地盤が盛り上がったときには、地盤の盛り上がりと共に上動した上記被固定部材の下部に上記係合体が係合して追随すると共に、凍上が解除されて地盤が元に戻るときには、上記被固定部材の下部と係合した上記係合体が該被固定部材により押圧されて該被固定部材の下動に追随することにより、アンカーピンだけが突出した状態で取り残されることがない。